(57)【要約】【課題】本発明は、外観の美しさの向上を図った煙突体を提供する。を提供する。【解決手段】複数の筒部材２Ａ、２Ｂと、一つの筒部材２Ａに設けられた雄ねじ部４が、他の筒部材２Ｂに設けられた雌ねじ部６に螺合されることで構成された複数の筒部材の連結部２０に巻かれる締付け部材３と、を備え、連結部が、筒部材の外面２２より径方向の内側に設けられている。これによれば、締付け部材が連結部に巻かれた状態で、従来技術の如く、締付環が筒体の外面から出張った形態に比して、外観の美しさを向上させることができる。【選択図】図８
2019207066.tif 000002
【特許請求の範囲】
【請求項１】
複数の筒部材と、一つの前記筒部材に設けられた雄ねじ部が、他の前記筒部材に設けられた雌ねじ部に螺合されることで構成された前記複数の筒部材の連結部に巻かれる締付け部材と、を備え、
前記連結部が、前記筒部材の外面より径方向の内側に設けられていることを特徴とする煙突体。
【請求項２】
前記締付け部材が前記連結部に巻かれた状態で、前記締付け部材の外面及び前記筒部材の外面が同一面にある、または、
前記締付け部材が前記連結部に巻かれた状態で、前記締付け部材の外面より前記筒部材の外面が径方向の内側に設けられていることを特徴とする請求項１に記載の煙突体。
【請求項３】
前記雄ねじ部は、前記筒部材の外面より径方向の内側に位置する雄側凹み部と、該雄側凹み部より前記雄ねじ部の先端側に連続されるとともにＵ字状に折れ曲がって径方向の外側に突出して設けられた雄側突条部と、を有し、
前記雌ねじ部は、前記筒部材の外面より径方向の内側に位置する雌側凹み部と、該雌側凹み部より前記先端から離れた基端側に連続されるとともにＵ字状に折れ曲がって径方向の外側に突出して設けられた雌側突条部と、を有し、
前記締付け部材が、前記筒部材の外面と同一面に位置する締付け部本体と、該締付け部本体の両端に連続されるとともに径方向の内側に折れ曲がった一対の折曲げ部と、を有してＣ字状に形成され、
前記一対の折曲げ部のうち一方が、前記雄側凹み部に当接され、一対の折曲げ部のうち他方が、前記雌側凹み部に当接されることを特徴とする請求項１または請求項２に記載の煙突体。
【発明の詳細な説明】
【技術分野】
【０００１】
本発明は、煙突体に関する。
【背景技術】
【０００２】
従来、暖炉等の煙を屋外に導くためのものであり、複数の筒体（筒部材）を連続的に接続することにより、所定長さになるように複数の筒体が接続された煙突（煙突体）が開示されている（例えば、特許文献１参照）。
【０００３】
特許文献１に記載の従来の煙突は、複数の筒体と、複数の筒体が接続された接続部を覆う締付環と、を有して構成されている。
【０００４】
複数の筐体のうち、一方の筐体の上端部には、雄側嵌合筒部が形成されている。複数の筐体のうち、他方の筐体の下端部には、雄側嵌合筒部を挿入させる雌側嵌合筒部が形成されている。雌側嵌合筒部には、雄側嵌合筒部に向けて突出形成された係合突起が設けられ、雄側嵌合筒部には、係合突起を係合させる係合溝が設けられている。さらに、各筐体は、雄側嵌合筒部の基端部の全周に延在形成された上側突隆部と、他方の筐体の係合突起が一方の筐体の係合溝に係合した際に、上側突隆部に当接する下側突隆部と、を有している。上側突隆部及び下側突隆部は、それぞれ、筐体の外面から突出して設けられている。他方の筐体の係合突起が、一方の筐体の係合溝に係合し、上側突隆部及び下側突隆部が当接されることにより、接続部が構成される。
【０００５】
締付環は、これらの上側突隆部及び下側突隆部を覆いつつ、これら上側突隆部及び下側突隆部をその両端部で上下に挟み込むように巻き付けられる。このような締付環により、複数の筐体の接続状態が維持される。
【先行技術文献】
【特許文献】
【０００６】
【特許文献１】特開２００４−７７０４６号公報
【発明の概要】
【発明が解決しようとする課題】
【０００７】
このような従来の煙突にあっては、上側突隆部及び下側突隆部が、筐体の外面から突出して設けられ、締付環も筐体の外面から突出して設けられているから、締付環が出っ張りとなって、外観の美しさが得られ難かった。
【０００８】
本発明の目的は、外観の美しさの向上を図った煙突体を提供することにある。
【課題を解決するための手段】
【０００９】
本発明は、複数の筒部材と、一つの前記筒部材に設けられた雄ねじ部が、他の前記筒部材に設けられた雌ねじ部に螺合されることで構成された前記複数の筒部材の連結部に巻かれる締付け部材と、を備え、前記連結部が、前記筒部材の外面より径方向の内側に設けられていることを特徴とする。
【００１０】
以上のような本発明によれば、締付け部材が連結部に巻かれた状態で、締付け部材の外面及び筒部材の外面が同一面にある、または、締付け部材が連結部に巻かれた状態で、締付け部材の外面より筒部材の外面が径方向の内側に設けられていることにより、従来技術の如く、締付環が筒体の外面から出張った形態に比して、外観の美しさを向上させることができる。
【００１１】
また、煙突体は、締付け部材が巻かれる前の状態で、連結部は、筒部材の外面より径方向の内側に設けられている。ここで、煙突体の組立てる際、締付け部材が連結部に巻かれる前に、連結された複数の筒部材を取付け部材に挿入し、連結部を跨ぐように複数の筒部材を取付け部材に対して移動させる場合があるが、連結部が、筒部材の外面より径方向の内側にあることで、取付け部材が連結部に引っ掛からずにスムーズに移動されるから、煙突体の組立て作業を阻害しないようにできる。
【００１２】
また、前記締付け部材が前記連結部に巻かれた状態で、前記締付け部材の外面及び前記筒部材の外面が同一面にある、または、前記締付け部材が前記連結部に巻かれた状態で、前記締付け部材の外面より前記筒部材の外面が径方向の内側に設けられていることが好ましい。これによれば、外観の美しさを向上させることができる。
【００１３】
また、前記雄ねじ部は、前記筒部材の外面より径方向の内側に位置する雄側凹み部と、該雄側凹み部より前記雄ねじ部の先端側に連続されるとともにＵ字状に折れ曲がって径方向の外側に突出して設けられた雄側突条部と、を有し、前記雌ねじ部は、前記筒部材の外面より径方向の内側に位置する雌側凹み部と、該雌側凹み部より前記先端から離れた基端側に連続されるとともにＵ字状に折れ曲がって径方向の外側に突出して設けられた雌側突条部と、を有し、前記締付け部材が、前記筒部材の外面と同一面に位置する締付け部本体と、該締付け部本体の両端に連続されるとともに径方向の内側に折れ曲がった一対の折曲げ部と、を有してＣ字状に形成され、前記一対の折曲げ部のうち一方が、前記雄側凹み部に当接され、一対の折曲げ部のうち他方が、前記雌側凹み部に当接されることが好ましい。
【００１４】
即ち、一対の折曲げ部のうち一方が、雄側凹み部に当接され、一対の折曲げ部のうち他方が、雌側凹み部に当接されることで、摩擦により、雄ねじ部及び雌ねじ部のうち一方の他方に対する螺合反対方向（緩み方向）への移動が抑制される。ここで、万一、雄ねじ部と雌ねじ部との螺合が解かれたとしても、雄側突条部が一対の折曲げ部のうち一方に当接され、雌側突条部が一対の折曲げ部のうち他方に当接されることで、複数の筒部材のうち、下方に位置する他方の筒部材の上方に位置する一方の筒部材に対する脱落が抑制される。
【発明の効果】
【００１５】
本発明の煙突体によれば、外観の美しさの向上を図ることができる。
【図面の簡単な説明】
【００１６】
【図１】本発明の一実施の形態の煙突体を含んだ暖房システムを示す図であり、（Ａ）は、斜視図であり、（Ｂ）は、背面図であり、（Ｃ）は、側面図であり、（Ｄ）は、正面図である。
【図２】前記煙突体が壁部に取り付けられた状態を示す斜視図である。
【図３】前記煙突体の分解斜視図である。
【図４】前記煙突体を構成する取付け部材の分解斜視図である。
【図５】前記煙突体を構成する筒部材の一部を切り欠いた側面図である。
【図６】図５に示された筒部材の要部を拡大して示す図である。
【図７】前記煙突体を構成する雄ねじ部及び雌ねじ部の一部断面を示す斜視図である。
【図８】前記雄ねじ部及び前記雌ねじ部が螺合された状態を示す断面図である。
【図９】前記雄ねじ部及び前記雌ねじ部が螺合された状態の一部断面を示す斜視図である。
【図１０】前記雄ねじ部及び前記雌ねじ部が螺合されて、２個の筒部材が連結した状態を示す斜視図である。
【図１１】図１０に示された２個の筒部材が取付け部材を介して壁部に取り付けられた状態を示す図である。
【図１２】図１１に示された２個の筒部材にロッキングバンドが取り付けられた状態を示す図である。
【発明を実施するための形態】
【００１７】
以下、本発明の一実施の形態に係る煙突体を有する暖房システムについて図１〜図１２を参照して説明する。この暖房システムは、家屋内における暖房のために用いられるものである。暖房システムは、図１、図２に示すように、燃料を燃焼させるための燃焼室１０と、燃料の燃焼に必要な空気を燃焼室１０の内部に取り込む不図示の給気口と、燃焼室１０において生じた煙やガスを家屋外に排出するために煙を通過させる直線状の煙突体１と、家屋内外を仕切る壁部Ｗに煙突体１を挿入支持して取り付ける取付け部材９と、を有して構成されている。なお、本実施形態の煙突体１は、直線状に設けられているが、燃焼室１０の設置場所に応じて適宜屈曲されていてもよい。
【００１８】
煙突体１は、図３、図１０に示すように、複数（図示例では２個）の筒部材２Ａ、２Ｂと、２個の筒部材２Ａ、２Ｂの連結部２０（図１０に示す）に巻かれるロッキングバンド３（締付け部材）と、を有して構成されている。本実施形態では、図３に示すように、２個の筒部材２Ａ、２Ｂは、略同一構造乃至略同一機能を有して構成されている。２個の筒部材２Ａ、２Ｂのうち、上方に位置する一方を「上側筒部材２Ａ」と記し、下方に位置する他方を「下側筒部材２Ｂ」と記す場合がある。下側筒部材２Ｂの上端部には、雄ねじ部４が設けられ、上側筒部材２Ａの下端部には、雄ねじ部４を螺合させる雌ねじ部６が設けられている。なお、本実施形態において、「螺合」とは、雄ねじ部４の（後述する）雄突起部５と雌ねじ部６の（後述する）雌突起部７が係合することと同義であり、雄突起部５に雌突起部７が弾性的に当接した状態のことである。また、雌ねじ部６は雄ねじ部４に対して、上から見て時計回りに回転されることで螺合される。また、上から見て時計回りの方向を「螺合方向Ｒ（図３に示す）」と記す場合がある。雄ねじ部４に雌ねじ部６が螺合されることで２個の筒部材２Ａ、２Ｂが連結されて連結部２０が形成される。即ち、上側筒部材２Ａ及び下側筒部材２Ｂは連結部２０で連結される。また、本実施形態では、鉛直方向を矢印Ｙで示し、上方を矢印Ｙ１で示し、下方を矢印Ｙ２で示す。
【００１９】
各筒部材２Ａ、２Ｂは、図５、図６に示すように、筒部本体２１と、筒部本体２１の上端部に設けられた雄突起部５を有する雄ねじ部４と、筒部本体２１の下端部に設けられた雌突起部７を有する雌ねじ部６と、を有して構成されている。
【００２０】
筒部本体２１は、図７に示すように、円筒状の外側筒部２２（筒部材の外面）と、外側筒部２２に内挿される円筒状の内側筒部２３と、外側筒部２２と内側筒部２３との間に設けられる不図示の断熱材と、を有して構成されている。内側筒部２３は、第１内側筒部２４と、上側筒部材２Ａの第１内側筒部２４を内挿可能な第２内側筒部２５と、を有して構成されている。外側筒部２２、第１内側筒部２４、及び第２内側筒部２５は、同軸に形成されている。第２内側筒部２５は、第１内側筒部２４の上端部に連続して設けられている。第２内側筒部２５の内径寸法は、第１内側筒部２４の内径寸法より、第１内側筒部２４の板厚寸法分だけ大きくなるように形成されている。外側筒部２２の上端（上端部２２Ａ）は、第１内側筒部２４と第２内側筒部２５の境界部より僅かに下方に位置している。また、外側筒部２２の下端（下端部２２Ｂ）は、第１内側筒部２４の下端より僅かに下方に位置している。
【００２１】
雄ねじ部４は、図７に示すように、外側筒部２２と内側筒部２３との径方向の間に位置し、雄ねじ部４の上端部である上側重なり部４１が、第２内側筒部２５の上端部２５Ａの外面に重なって溶接（固定）され、雄ねじ部４の下端部である下側重なり部４２が、外側筒部２２の上端部２２Ａの内面に重なって溶接（固定）されている。雄ねじ部４は、板金にプレス加工が施されることで形成されている。
【００２２】
また、雄ねじ部４は、図６、図７に示すように、円筒状の雄側カプラー部４０（雄筒状部）と、円筒状の上側重なり部４１と、雄側カプラー部４０と上側重なり部４１との間に位置する円環状の第１延在部４１Ａと、雄側カプラー部４０の下端に連続されて当該下端との境界部が径方向の外側に折れ曲がって延在する第２延在部４３と、第２延在部４３に連続されて、第２延在部４３との境界部が径方向の内側にＵ字状に折れ曲がって形成された第３延在部４４と、第３延在部４４に連続された円筒状の第４円筒部４５と、第４円筒部４５の下端との境界部が径方向の外側に折れ曲がって延在する第５延在部４６と、第５延在部４６に連続された円筒状の下側重なり部４２と、を一体に有して構成されている。さらに、雄ねじ部４には、雄側カプラー部４０の外周面（外面）に、周方向に間隔をあけて複数の雄突起部５が形成されている。
【００２３】
第４円筒部４５は、雄側カプラー部４０と下側重なり部４２との径方向の間に位置している。以下では、第２延在部４３と第２延在部４３に連続される第３延在部４４の一部を「雄側突条部４７」と記す場合がある。雄側突条部４７は、雄ねじ部４の全周に連続形成されている。また、第４円筒部４５、第４円筒部４５の上方に連続される第３延在部４４の一部及び、第４円筒部４５の下方に連続される第５延在部４６の一部を「雄側凹み部４８」と記す場合がある。雄側凹み部４８は、雄ねじ部４の全周に延在形成されている。
【００２４】
雌ねじ部６は、図６、図７に示すように、円筒状の雌側カプラー部６０（雌筒状部）と、雌側カプラー部６０の上端に連続されて当該上端との境界部が内側に折れ曲がった円環状の雌側第１円環部６１と、雌側第１円環部６１との境界部が斜め上方に向かって折れ曲がって先端が内側筒部２３の外周面に向けて延在する雌側第１延在部６２と、を有している。さらに雌ねじ部６は、図６に示すように、雌側カプラー部６０の下端に連続されて雌側カプラー部６０との境界部が径方向の外側にＵ字状に折れ曲がって形成された断面円弧状の第１環状リブ６３と、第１環状リブ６３の下端に連続されるとともに、軸と平行に延在された円筒状の第１下端延在部６４と、を有している。
【００２５】
雌側カプラー部６０には、図６に示すように、複数の雌突起部７が設けられている。また、雌側カプラー部６０の下端部であって、雌突起部７と第１環状リブ６３との間には、軸と平行に延在された円筒状の雌側円筒部６５が設けられている。即ち、雌側円筒部６５は、雌側カプラー部６０の一部である。第１下端延在部６４及び雌側円筒部６５は、径寸法が略同じになるように形成された円筒状に形成され、雌突起部７は、第１下端延在部６４及び雌側円筒部６５の内面から径方向の内側に突出して設けられ、第１環状リブ６３は、第１下端延在部６４及び雌側円筒部６５の外面から径方向の外側に突出して設けられている。
【００２６】
各雌突起部７は、図６に示すように、雌側カプラー部６０の上下の中間部に、周方向に等間隔をあけて設けられている。各雌突起部７は、雌側カプラー部６０の径方向の内側に膨出して設けられている。
【００２７】
さらに雌ねじ部６は、図７に示すように、外側筒部２２の下端部２２Ｂと雌側カプラー部６０との径方向の間に位置する雌側カプラー補強部８を有している。雌側カプラー補強部８は、その上端部であって、外側筒部２２の下端部２２Ｂに重なって溶接（固定）される雌側重なり部８１と、この雌側重なり部８１の下端との境界部が折れ曲がって径方向の内側に延在される雌側第２延在部８２と、雌側第２延在部８２との境界部が折れ曲がって筒状に下方に延在される雌側第２円筒部８３と、雌側第２円筒部８３の下端に連続されて雌側第２円筒部８３との境界部が径方向の外側にＵ字状に折れ曲がって形成された断面円弧状の第２環状リブ８４と、第２環状リブ８４の下端に連続されるとともに、軸と平行に延在された円筒状の第２下端延在部８５と、を有して構成されている。雌側第２円筒部８３、第２環状リブ８４及び第２下端延在部８５は、雌側円筒部６５、第１環状リブ６３及び、第１下端延在部６４に重なって溶接（固定）されている。
【００２８】
以下では、第１環状リブ６３及び第２環状リブ８４を「雌側突条部１２」と記す場合がある。雌側突条部１２は、雌ねじ部６の全周に連続形成されている。また、雌側円筒部６５及び雌側第２円筒部８３を「雌側凹み部１１」と記す場合がある。雌側凹み部１１は、雌ねじ部６の全周に延在形成されている。また、第１下端延在部６４及び第２下端延在部８５を「雌側下端部１３」と記す場合がある。
【００２９】
このような雄ねじ部４及び雌ねじ部６が螺合される際、図７、図８に示すように、雌突起部７が雄突起部５に当接する。雌ねじ部６を雄ねじ部４に対して螺合方向Ｒの奥側に移動する。これに伴って、雌突起部７が、雄突起部５の上面に沿って、螺合方向Ｒの奥側に移動する。さらに雌ねじ部６が螺合方向Ｒの奥側に移動されるに伴って、雌突起部７が螺合方向Ｒの奥側の雄突起部５の下面に当接する。この状態で、さらに雌ねじ部６が螺合方向Ｒの奥側に移動されることで、雌側下端部１３が雄ねじ部４の第２延在部４３を押圧し、雌突起部７、雌側突条部１２及び雌側下端部１３が、雄突起部５と第２延在部４３との間に押圧状態で挟持される。この際、雄側突条部４７及び雌側突条部１２は、雌側下端部１３を挟んで上下に並んで設けられている。こうして、雌突起部７及び雄突起部５が係合される。
【００３０】
ロッキングバンド３は、図３に示すように、上側筒部材２Ａ及び下側筒部材２Ｂの連結部２０に巻かれる環状部本体３０と、環状部本体３０の一端に設けられたリング３１を有するレバー３２と、環状部本体３０の他端に設けられてリング３１が引っ掛かるフック３３と、を有して構成されている。レバー３２は、リング３１がフック３３に引っ掛けて、回動することで、リング３１を引き寄せて、上側筒部材２Ａ及び下側筒部材２Ｂの連結部２０を締め付ける。環状部本体３０は、円筒状のバンド本体３４（締付け部本体、締付け部材の外面）と、バンド本体３４の上下の端部から径方向内側に折れ曲がった一対の曲げ部３５Ａ、３５Ｂ（一対の折曲げ部）と、を有してコ字状に形成されている。ロッキングバンド３が取り付けられた状態で、図８、図９に示すように、一対の曲げ部３５Ａ、３５Ｂのうち上方の曲げ部３５Ａ（一対の折曲げ部のうち他方）は、雌ねじ部６の雌側第２円筒部８３に当接され、一対の曲げ部３５Ａ、３５Ｂのうち下方の曲げ部３５Ｂ（一対の折曲げ部のうち一方）は、雄ねじ部４の第４円筒部４５に当接されている。
【００３１】
この際、図８に示すように、上方の曲げ部３５Ａは、雌側突条部１２の上方に隣接する位置にあり、下方の曲げ部３５Ｂは、雄側突条部４７の下方に隣接する位置にある。また、雄ねじ４部及び雌ねじ部６のうち一方の他方に対して螺合反対方向（緩み方向）に移動した際に、下方の曲げ部３５Ｂは、雄側突条部４７が当接可能な位置にあり、上方の曲げ部３５Ａは、雌側突条部１２が当接可能な位置にある。そして、雄側突条部４７が下方の曲げ部３５に当接し、雌側突条部１２が上方の曲げ部３５Ａに当接することにより、雄ねじ部４及び雌ねじ部６の緩み方向へのさらなる移動が抑制される。ここで、万一、雄ねじ部４と雌ねじ部６との螺合が解かれたとしても、雄側突条部４７が下方の曲げ部３５に当接し、雌側突条部１２が上方の曲げ部３５Ａに当接することにより、複数の筒部材２Ａ、２Ｂのうち、下側筒部材２Ｂの上側筒部材２Ａに対する脱落が抑制される。
【００３２】
取付け部材９は、図４に示すように、第１円弧部９０と、第２円弧部９１と、第１円弧部９０及び第２円弧部９１を壁部Ｗに固定する固定支持具９２と、を備えて構成されている。第１円弧部９０は、筒状部の外周面に巻かれる第１円弧部本体９３と、第１円弧部本体９３の両端で折り返された一対の第１固定片９４、９４と、を備えている。第２円弧部９１は、筒部材２Ａ、２Ｂの外周面に巻かれる第２円弧部本体９５と、第２円弧部本体９５の両端で折り返された一対の第２固定片９６、９６と、を備えている。固定支持具９２は、壁部Ｗに重ねられる支持板部９７と、支持板部９７の両端が折れ曲がって形成された一対の対向板部９８、９８と、一対の対向板部９８、９８の支持板部９７から離れた端部に形成された一対の固定片９９、９９と、を備えている。このような取付け部材９は、第１固定片９４、第２固定片９６、固定片９９の各一方同士を重ねて、ボルトＢ及びナットＮを用いて締結し、第１固定片９４、第２固定片９６、固定片９９の他方同士を重ねて、ボルトＢ及びナットＮを用いて締結し、壁部Ｗに支持板部９７を重ねてビス固定する。
【００３３】
次に、煙突体１を壁部Ｗに固定する際の手順について、図７、図９〜図１２を参照して説明する。予め、取付け部材９を組み立てて、支持板部９７を壁部Ｗに重ねてビス固定しておく。
【００３４】
まず、図７に示すように、上側筒部材２Ａの雌ねじ部６を下側筒部材２Ｂの雄ねじ部４に近付ける。雌突起部７が雄突起部５に当接する。雌ねじ部６を雄ねじ部４に対して螺合方向Ｒの奥側に移動する。これに伴って、雌突起部７が、雄突起部５の上面に沿って、螺合方向Ｒの奥側に移動する。さらに、雌ねじ部６が螺合方向Ｒの奥側に移動されるに伴って、雌突起部７が螺合方向Ｒの奥側の雄突起部５の下面に当接する。この状態で、さらに雌ねじ部６が螺合方向Ｒの奥側に移動されることで、雌側下端部１３が雄ねじ部４の第２延在部４３を押圧し、雌突起部７、雌側突条部１２及び雌側下端部１３が、雄突起部５と第２延在部４３との間に押圧状態で挟持される。こうして、雌突起部７が雄突起部５に係合する。上側筒部材２Ａ及び下側筒部材２Ｂが連結されて、連結部２０が構成される。
【００３５】
続いて、図１１に示すように、連結された上側筒部材２Ａと下側筒部材２Ｂを取付け部材９に挿入する。この際、上側筒部材２Ａと下側筒部材２Ｂとの連結部２０が、筒部本体２１の外周面より径方向の内側に凹んで設けられているから、連結部２０を跨ぐ取付け部材９における第１円弧部９０及び第２円弧部９１の移動がスムーズに行われ、上側筒部材２Ａ及び下側筒部材２Ｂが取付け部材９に位置決めされる。最後に、図１２に示すように、ロッキングバンド３の環状部本体３０を、バンド本体３４が雌ねじ部６の環状リブ６３、８４及び雄ねじ部４の雄側突条部４７を覆う格好で連結部２０に近付ける。リング３１をフック３３に引っ掛けて、レバー３２を回動することで、環状部本体３０で連結部２０を締め付ける。上方の曲げ部３５Ａが雌側凹み部１１に当接し、下方の曲げ部３５Ｂが雄ねじ部４の雄側凹み部４８に当接する。こうして、煙突体１が完成する。
【００３６】
上述した実施形態によれば、下方の曲げ部３５Ｂ（一対の折曲げ部のうち一方）が、雄側凹み部４８に当接され、上方の曲げ部３５Ａ（一対の折曲げ部のうち他方）が、雌側凹み部１１に当接されることで、摩擦により、雄ねじ部４及び雌ねじ部６のうち一方の他方に対する螺合反対方向（緩み方向）への移動が抑制される。また、雄側突条部４７と雌側突条部１２が設けられていることで、雄ねじ部４及び雌ねじ部６の螺合が緩み、万一、雄ねじ部４と雌ねじ部６との螺合が解かれたとしても、雄側突条部４７が下方の曲げ部３５Ｂに当接され、雌側突条部１２が上方の曲げ部３５Ａに当接されることで、一対の折曲げ部３５Ａ、３５Ｂ間にて、雄側突条部４７及び雌側突条部１２が挟持された状態が維持されるから、筒部材２Ａ、２Ｂのうち、一方の筒部材２Ａの他方の筒部材２Ｂに対する脱落が抑制される。
【００３７】
また、ロッキングバンド３（締付け部材）が連結部２０に巻かれた状態で、バンド本体３４の外面（締付け部材の外面）及び外側筒部２２の外面（筒部材の外面）が同一面にあることで、外観の美しさを向上させることができる。
【００３８】
また、煙突体１は、ロッキングバンド３（締付け部材）が巻かれる前の状態で、連結部２０は、外側筒部２２の外面（筒部材の外面）より径方向の内側に凹んだ位置に設けられている。ここで、煙突体１の組立てる際、ロッキングバンド３が連結部２０に巻かれる前に、連結された複数の筒部材２Ａ、２Ｂを取付け部材９に挿入し、連結部２０を跨ぐように複数の筒部材２Ａ、２Ｂを取付け部材９に対して移動させる場合があるが、連結部２０が、外側筒部２２の外面より径方向の内側に凹んだ位置にあることで、取付け部材９が連結部２０に引っ掛からずにスムーズに移動されるから、煙突体１の組立て作業を阻害しないようにできる。
【００３９】
なお、本発明は、前記実施形態に限定されるものではなく、本発明の目的が達成できる他の構成等を含み、以下に示すような変形例も本発明に含まれる。
【００４０】
即ち、前記実施形態では、ロッキングバンド３（締付け部材）が連結部２０に巻かれた状態で、バンド本体３４の外面（締付け部材の外面）及び外側筒部２２の外面（筒部材の外面）が同一面にあるが、本発明はこれに限定されるものではない。ロッキングバンド３（締付け部材）が連結部２０に巻かれた状態で、バンド本体３４の外面（締付け部材の外面）より外側筒部２２の外面（筒部材の外面）が径方向の内側に設けられていてもよい。これによれば、前記実施形態と略同様の効果が奏される。
【００４１】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想及び、目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４２】
１          煙突体
２Ａ、２Ｂ  筒部材
３          ロッキングバンド（締付け部材）
４          雄ねじ部
６          雌ねじ部
２０        連結部
２２        外側筒部（筒部材の外面）
３４        バンド本体（締付け部本体、締付け部材の外面）
３５Ａ      上方の曲げ部（一対の折曲げ部のうち他方）
３５Ｂ      下方の曲げ部（一対の折曲げ部のうち一方）
４７        雄側突条部
４８        雄側凹み部
１２        雌側突条部
１１        雌側凹み部
【図１】
2019207066.tif 000003
【図２】
2019207066.tif 000004
【図３】
2019207066.tif 000005
【図４】
2019207066.tif 000006
【図５】
2019207066.tif 000007
【図６】
2019207066.tif 000008
【図７】
2019207066.tif 000009
【図８】
2019207066.tif 000010
【図９】
2019207066.tif 000011
【図１０】
2019207066.tif 000012
【図１１】
2019207066.tif 000013
【図１２】
2019207066.tif 000014